(57)【特許請求の範囲】
【請求項１】
情報処理装置のドッキングインターフェースに、着脱可能に外付けされるドッキング装置であって、
電源プラグを介して入力されるＡＣ電圧をＤＣ電圧に変換して、前記ドッキングインターフェースを介して、前記情報処理装置に出力するＡＣ−ＤＣ変換手段と、
前記ドッキングインターフェースを介して、前記情報処理装置との接続を検出する接続検出手段と、
前記ドッキングインターフェースを介して、前記情報処理装置の電力状態を検出する電力状態検出手段と、
前記電力状態検出手段の電力状態の検出結果に基づいて、前記ＡＣ−ＤＣ変換手段のＯＮ／ＯＦＦを制御する制御手段と、
を備えたことを特徴とするドッキング装置。
【請求項２】
前記電力状態検出手段は、前記情報処理装置のＤＣ−ＤＣ変換手段の所定の電源をＯＮ／ＯＦＦさせる電源要求信号または前記情報処理装置のＤＣ−ＤＣ変換手段から出力される前記所定の電源をモニタリングして、前記情報処理装置の電力状態を検出することを特徴とする請求項１に記載のドッキング装置。
【請求項３】
前記制御手段は、前記電力状態検出手段で前記所定の電源のＯＦＦを検出した場合に、前記ＡＣ−ＤＣ変換手段をＯＦＦとする一方、前記電力状態検出手段で前記所定の電源のＯＮを検出した場合に、前記ＡＣ−ＤＣ変換手段をＯＮさせることを特徴とする請求項２に記載のドッキング装置。
【請求項４】
バッテリを装着可能な情報処理装置と、前記情報処理装置のドッキングインターフェースに着脱可能に外付けされるドッキング装置と、を備えた電源システムであって、
前記ドッキング装置は、
電源プラグを介して入力されるＡＣ電圧をＤＣ電圧に変換して、前記ドッキングインターフェースを介して、前記情報処理装置に出力するＡＣ−ＤＣ変換手段と、
前記ドッキングインターフェースを介して、前記情報処理装置との接続を検出する接続検出手段と、
前記ドッキングインターフェースを介して、前記情報処理装置の電力状態を検出する電力状態検出手段と、
前記電力状態検出手段の検出結果に基づいて、前記ＡＣ−ＤＣ変換手段のＯＮ／ＯＦＦを制御する制御手段と、
を含み、
前記情報処理装置は、
前記ドッキング装置から前記トラッキングインターフェースを介して供給されるＤＣ電圧または前記バッテリから供給されるＤＣ電圧を、所望のＤＣ電圧に変換して、前記情報処理装置の各部に電源を供給するＤＣ−ＤＣ変換手段と、
前記ＤＣ−ＤＣ変換手段のＯＮ／ＯＦＦを制御する電源管理手段と、
を含むことを特徴とする電源システム。
【請求項５】
前記電力状態検出手段は、前記情報処理装置のＤＣ−ＤＣ変換手段の所定の電源をＯＮ／ＯＦＦさせる電源要求信号または前記情報処理装置のＤＣ−ＤＣ変換手段から出力される前記所定の電源をモニタリングして、前記情報処理装置の電力状態を検出することを特徴とする請求項４に記載の電源システム。
【請求項６】
前記電源管理手段は、前記ドッキング装置がＯＮ、かつ、前記情報処理装置が稼働状態にある場合に、システム電源がＯＦＦされると、前記ＤＣ−ＤＣ変換手段から出力される電源をＯＦＦとし、
前記制御手段は、前記電力状態検出手段が、前記所定の電源のＯＦＦを検出した場合に、前記ＡＣアダプタをＯＦＦとすることを特徴とする請求項５に記載の電源システム。
【請求項７】
前記電源管理手段は、前記ドッキング装置がＯＦＦ、かつ、前記情報処理装置がパワーオフ状態にある場合に、システム電源がオンされると、前記ＤＣ−ＤＣ変換手段から出力される前記所定の電源をＯＮとし、
前記制御手段は、前記電力状態検出手段が前記所定の電源のＯＮを検出した場合に、前記ドッキング装置をＯＮとすることを特徴とする請求項５に記載の電源システム。
【請求項８】
前記電源管理手段は、前記ドッキング装置がＯＮ、前記情報処理装置が稼働状態、かつ、前記バッテリ充電中の状態にある場合に、システム電源がＯＦＦされると、前記バッテリの残量が閾値以上となるまで充電を行い、前記バッテリの充電が終了すると、前記ＤＣ−ＤＣ変換手段から出力される電源をＯＦＦとし、
前記制御手段は、前記電力状態検出手段が前記所定の電源のＯＦＦを検出した場合に、前記ＡＣアダプタをＯＦＦとすることを特徴とする請求項５に記載の電源システム。
【請求項９】
前記電源管理手段は、前記ドッキング装置がＯＦＦ、前記情報処理装置がパワーオフ状態にある場合に、前記バッテリが新たに接続されると、前記バッテリの接続を検出した後、前記ＤＣ−ＤＣ変換手段から出力される所定の電源をＯＮとし、
前記制御手段は、前記電力状態検出手段が前記所定の電源のＯＮを検出した場合に、前記ドッキング装置をＯＮとし、
前記電源管理手段は、前記バッテリの残量をチェックして、閾値以上となるまで充電を行った後、前記ＤＣ−ＤＣ変換手段から出力される前記所定の電源をＯＦＦとし、
前記制御手段は、前記電力状態検出手段が前記所定の電源のＯＦＦを検出した場合に、前記ドッキング装置をＯＦＦとすることを特徴とする請求項５に記載の電源システム。
【請求項１０】
前記電源管理手段は、前記情報処理装置がパワーオフ状態にある場合に、前記ＡＣアダプタが接続されると、前記ドッキング装置の接続を検出した後、前記ＤＣ−ＤＣ変換手段から出力される前記所定の電源をＯＮとし、
前記制御手段は、前記電力状態検出手段が、前記所定の電源のＯＮを検出した場合に、前記ドッキング装置をＯＮとし、
前記電源管理手段は、前記バッテリの残量をチェックして、残量が閾値以上となるまで充電を行った後、前記ＤＣ−ＤＣ変換手段から出力される前記所定の電源をＯＦＦとし、
前記制御手段は、前記電力状態検出手段が、前記所定の電源のＯＦＦを検出した場合に、前記ドッキング装置をＯＦＦとすることを特徴とする請求項５に記載の電源システム。
【請求項１１】
さらに、
前記ドッキング装置がＯＦＦ、かつ、前記情報処理装置がパワーオフ状態にある場合に、タイマイベント動作で、定期的に、前記ＤＣ−ＤＣ変換手段から出力される前記所定の電源をＯＮとするタイマイベント発生手段を備え、
前記制御手段は、前記電力状態検出手段が前記所定の電源のＯＮを検出した場合に、前記ドッキング装置をＯＮとし、
前記電源管理手段は、前記バッテリの残量をチェックして、残量が閾値以上となるまで充電を行った後、前記ＤＣ−ＤＣ変換手段から出力される前記所定の電源をＯＦＦとし、
前記制御手段は、前記電力状態検出手段が前記所定の電源のＯＦＦを検出した場合に、前記ドッキング装置をＯＦＦとすることを特徴とする請求項５に記載の電源システム。
【請求項１２】
前記情報処理装置は、さらに、通常のＡＣアダプタを接続可能に構成されていることを特徴とする請求項４〜１１のいずれか１つに記載の電源システム。
【発明の詳細な説明】
【技術分野】
【０００１】
本発明は、ＡＣアダプタおよび電源システムに関する。
【背景技術】
【０００２】
代表的な電子機器であるノートブック型パーソナル・コンピュータ（以後ノート型ＰＣという。）は、充電可能な蓄電池を含むバッテリ・パックを内蔵し、さらに商用電源のＡＣ電圧を所定のＤＣ電圧に変換するＡＣアダプタの接続が可能である。そして、ノート型ＰＣは、バッテリ・パックとＡＣアダプタのどちらからも電力の供給を受けることができるようになっている。ＡＣアダプタからノート型ＰＣに供給される電力は、ノート型ＰＣを駆動するために使用されるのと同時に、ノート型ＰＣに内蔵されたバッテリ・パックを充電するためにも使用される。
【０００３】
近年、電気機器の待機時消費電力（以後、待機電力という）による電力の浪費を軽減することが一層重要になってきている。待機電力とは、電気機器がその本来の効用を発揮していないときに消費する電力のことをいい、たとえばテレビ、ビデオデッキ、エアコンなどがリモコンによる操作を待ち受けているときに消費する電力などがそれに該当する。一般家庭で消費する電力の約１割〜１．５割が待機電力であると言われている。ノートＰＣの広範な普及に伴い、ノートＰＣの電源システムにおいてもより一層の待機電力の節減が求められている。電気製品の待機電力削減は電気料金の節減にとどまらず地球温暖化対策の観点でも大きな課題の１つであり、重要な製品仕様の１つとなっている。
【０００４】
ノートＰＣは小型化および軽量化を追求する側面があるため、ＡＣアダプタは通常ノートＰＣとは別に用意されている。ノートＰＣのユーザは、ノート型ＰＣをパワーオフした場合でも、ＡＣアダプタの一次側の電源プラグを商用電源のアウトレットに常時接続しているのが普通である。しかしながら、ＡＣアダプタは内部の一次側に発振回路を有しているため、一次側の電源プラグが商用電源に接続されている限り発振回路が動作し続けて待機電力を消費する。この場合のＡＣアダプタの待機電力は一例として、０．２〜０．５Ｗ程度存在する。
【０００５】
ノート型ＰＣをパワーオフした場合に、ＡＣアダプタの一次側回路をオフさせて待機電力を低減させる方法として、例えば、ＡＣアダプタにメカスイッチを設けて手動でＡＣアダプタの一次側回路をＯＮ／ＯＦＦすることで、待機電力を削減する方法が考えられる。しかしながら、かかる方法では、使用者が手動でスイッチをＯＮ／ＯＦＦさせる必要があるため、使用者にとって不便である。
【０００６】
ところで、ノート型ＰＣを長時間携帯する場合には、ノート型ＰＣと別に用意されたＡＣアダプタも一緒に運ぶ必要があるため、携帯性が悪いという問題もある。
【先行技術文献】
【特許文献】
【０００７】
【特許文献１】特開２００２−６２９５３号
【特許文献２】特開平１１−２５９１８７号
【特許文献３】特開２００８−１２５２７０号
【発明の概要】
【発明が解決しようとする課題】
【０００８】
本発明は、上記に鑑みてなされたものであって、情報処理装置で使用されるＡＣアダプタの待機電力を、簡単かつ低コストな構成で削減することが可能なＡＣアダプタ及び電源システムを提供することを目的とする。
【課題を解決するための手段】
【０００９】
上述した課題を解決し、目的を達成するために、本発明は、情報処理装置のドッキングインターフェースに、着脱可能に接続されるＡＣアダプタであって、電源プラグを介して入力されるＡＣ電圧をＤＣ電圧に変換して、前記ドッキングインターフェースを介して、前記情報処理装置に出力するＡＣ−ＤＣ変換手段と、前記ドッキングインターフェースを介して、前記情報処理装置との接続を検出する接続検出手段と、前記ドッキングインターフェースを介して、前記情報処理装置の電力状態を検出する電力状態検出手段と、前記電力状態検出手段の検出結果に基づいて、前記ＡＣ−ＤＣ変換手段のＯＮ／ＯＦＦを制御する制御手段と、を備えたことを特徴とする。
【００１０】
また、本発明の好ましい態様によれば、前記電力状態検出手段は、前記情報処理装置のＤＣ−ＤＣ変換手段の所定の電源をＯＮ／ＯＦＦさせる電源要求信号または前記情報処理装置のＤＣ−ＤＣ変換手段から出力される所定の電源をモニタリングして、前記情報処理装置の電力状態を検出することが望ましい。
【００１１】
また、本発明の好ましい態様によれば、前記制御手段は、前記電力状態検出手段で前記所定の電源のＯＦＦを検出した場合に、前記ＡＣ−ＤＣ変換手段をＯＦＦとする一方、前記電力状態検出手段で前記所定の電源のＯＮを検出した場合に、前記ＡＣ−ＤＣ変換手段をＯＮさせることが望ましい。
【００１２】
また、本発明の好ましい態様によれば、前記ＡＣアダプタは、前記情報処理装置に外付けされるドッキング装置であることが望ましい。
【００１３】
また、上述した課題を解決し、目的を達成するために、本発明は、バッテリを装着可能な情報処理装置と、前記情報処理装置のドッキングインターフェースに、着脱可能に接続されるＡＣアダプタと、を備えた電源システムであって、前記ＡＣアダプタは、電源プラグを介して入力されるＡＣ電圧をＤＣ電圧に変換して、前記ドッキングインターフェースを介して、前記情報処理装置に出力するＡＣ−ＤＣ変換手段と、前記ドッキングインターフェースを介して、前記情報処理装置との接続を検出する接続検出手段と、前記ドッキングインターフェースを介して、前記情報処理装置の電力状態を検出する電力状態検出手段と、前記電力状態検出手段の検出結果に基づいて、前記ＡＣ−ＤＣ変換手段のＯＮ／ＯＦＦを制御する制御手段と、を含み、前記情報処理装置は、前記ＡＣアダプタから前記トラッキングインターフェースを介して供給されるＤＣ電圧または前記バッテリから供給されるＤＣ電圧を、所望のＤＣ電圧に変換して、前記情報処理装置の各部に電源を供給するＤＣ−ＤＣ変換手段と、前記ＤＣ−ＤＣ変換手段のＯＮ／ＯＦＦを制御する電源管理手段と、を含むことを特徴とする。
【００１４】
また、本発明の好ましい態様によれば、前記電力状態検出手段は、前記情報処理装置のＤＣ−ＤＣ変換手段の所定の電源をＯＮ／ＯＦＦさせる電源要求信号または前記情報処理装置のＤＣ−ＤＣ変換手段から出力される所定の電源をモニタリングして、前記情報処理装置の電力状態を検出することが望ましい。
【００１５】
また、本発明の好ましい態様によれば、前記電源管理手段は、前記ＡＣアダプタがＯＮ、かつ、前記情報処理装置が稼働状態にある場合に、システム電源がＯＦＦされると、前記ＤＣ−ＤＣ変換手段から出力される電源をＯＦＦとし、前記制御手段は、前記電力状態検出手段が、前記所定の電源のＯＦＦを検出した場合に、前記ＡＣアダプタをＯＦＦとすることが望ましい。
【００１６】
また、本発明の好ましい態様によれば、前記電源管理手段は、前記ＡＣアダプタがＯＦＦ、かつ、前記情報処理装置がパワーオフ状態にある場合に、システム電源がオンされると、前記ＤＣ−ＤＣ変換手段から出力される前記所定の電源をＯＮとし、前記制御手段は、前記電力状態検出手段が前記所定の電源のＯＮを検出した場合に、前記ＡＣアダプタをＯＮとすることが望ましい。
【００１７】
また、本発明の好ましい態様によれば、前記電源管理手段は、前記ＡＣアダプタがＯＮ、前記情報処理装置が稼働状態、かつ、前記バッテリ充電中の状態にある場合に、システム電源がＯＦＦされると、前記バッテリの残量が閾値以上となるまで充電を行い、前記バッテリの充電が終了すると、前記ＤＣ−ＤＣ変換手段から出力される所定の電源をＯＦＦとし、前記制御手段は、前記電力状態検出手段が前記所定の電源のＯＦＦを検出した場合に、前記ＡＣアダプタをＯＦＦとすることが望ましい。
【００１８】
また、本発明の好ましい態様によれば、前記電源管理手段は、前記ＡＣアダプタがＯＦＦ、前記情報処理装置がパワーオフ状態にある場合に、前記バッテリが新たに接続されると、前記バッテリの接続を検出し、前記ＤＣ−ＤＣ変換手段から出力される所定の電源をＯＮとし、前記制御手段は、前記電力状態検出手段が前記所定の電源のＯＮを検出した場合に、前記ＡＣアダプタをＯＮとし、前記電源管理手段は、前記バッテリの残量をチェックして、閾値以上となるまで充電を行った後、前記ＤＣ−ＤＣ変換手段から出力される所定の電源をＯＦＦとし、前記制御手段は、前記電力状態検出手段が前記所定の電源のＯＦＦを検出した場合に、前記ＡＣアダプタをＯＦＦとすることが望ましい。
【００１９】
また、本発明の好ましい態様によれば、前記電源管理手段は、前記情報処理装置がパワーオフ状態にある場合に、前記ＡＣアダプタが接続されると、前記ＡＣアダプタの接続を検出した後、前記ＤＣ−ＤＣ変換手段から出力される前記所定の電源をＯＮとし、前記制御手段は、前記電力状態検出手段が、前記所定の電源のＯＮを検出した場合に、前記ＡＣアダプタをＯＮとし、前記電源管理手段は、前記バッテリの残量をチェックして、残量が閾値以上となるまで充電を行った後、前記ＤＣ−ＤＣ変換手段から出力される前記所定の電源をＯＦＦとし、前記制御手段は、前記電力状態検出手段が、前記所定の電源のＯＦＦを検出した場合に、前記ＡＣアダプタをＯＦＦとすることが望ましい。
【００２０】
また、本発明の好ましい態様によれば、さらに、前記ＡＣアダプタがＯＦＦ、かつ、前記情報処理装置がパワーオフ状態にある場合に、タイマイベント動作で、定期的に、前記ＤＣ−ＤＣ変換手段から出力される前記所定の電源をＯＮとするタイマイベント発生手段を備え、前記制御手段は、前記電力状態検出手段が前記所定の電源のＯＮを検出した場合に、前記ＡＣアダプタをＯＮとし、前記電源管理手段は、前記バッテリの残量をチェックして、残量が閾値以上となるまで充電を行った後、前記ＤＣ−ＤＣ変換手段から出力される所定の電源をＯＦＦとし、前記制御手段は、前記電力状態検出手段が前記所定の電源のＯＦＦを検出した場合に、前記ＡＣアダプタをＯＦＦとすることが望ましい。
【００２１】
また、本発明の好ましい態様によれば、前記情報処理装置は、さらに、通常のＡＣアダプタを接続可能に構成されていることが望ましい。
【発明の効果】
【００２２】
本発明にかかるＡＣアダプタによれば、情報処理装置のドッキングインターフェースに、着脱可能に接続されるＡＣアダプタであって、電源プラグを介して入力されるＡＣ電圧をＤＣ電圧に変換して、前記ドッキングインターフェースを介して、前記情報処理装置に出力するＡＣ−ＤＣ変換手段と、前記ドッキングインターフェースを介して、前記情報処理装置との接続を検出する接続検出手段と、前記ドッキングインターフェースを介して、前記情報処理装置の電力状態を検出する電力状態検出手段と、前記電力状態検出手段の検出結果に基づいて、前記ＡＣ−ＤＣ変換手段を制御する制御手段と、を備えているので、情報処理装置で使用されるＡＣアダプタの待機電力を、簡単かつ低コストな構成で削減することが可能なＡＣアダプタを提供することが可能になるという効果を奏する。
【図面の簡単な説明】
【００２３】
【図１】図１は、ノート型ＰＣと、このノート型ＰＣに接続されるＡＣアダプタ（ドッキング装置）を示す概略斜視図である。
【図２】図２は、図１のノート型ＰＣおよびＡＣアダプタに係わる電源システムの構成を示す概略ブロック図である。
【図３】図３は、図２の電源システムの動作例１を説明するためのフローを示す図である。
【図４】図４は、図２の電源システムの動作例２を説明するためのフローを示す図である。
【図５】図５は、図２の電源システムの動作例２を説明するためのフローを示す図である。
【図６】図６は、図２の電源システムの動作例２を説明するためのフローを示す図である。
【図７】図７は、図２の電源システムの動作例２を説明するためのフローを示す図である。
【図８】図８は、図２の電源システムの動作例２を説明するためのフローを示す図である。
【発明を実施するための形態】
【００２４】
以下に、この発明にかかるＡＣアダプタおよび電源システムの実施の形態を図面に基づいて詳細に説明する。なお、この実施の形態によりこの発明が限定されるものではない。また、下記実施の形態における構成要素には、当業者が容易に想定できるものまたは実質的に同一のものが含まれる。本発明の構成要素は、本明細書の図面に一般に示してあるが、様々な構成で広く多様に配置して設計してもよいことは容易に理解できる。したがって、本発明の装置の実施形態についての以下のより詳細な説明は、特許請求の範囲に示す本発明の範囲を限定するものではなく、単に本発明の選択した実施形態の一例を示すものである。当業者は、公知技術を援用することで、特定の細目の１つ以上が無くても、または他の方法、部品、材料でも本発明を実現できることが理解できる。
【００２５】
本実施の形態は、ＡＣアダプタをドッキング装置としてノート型ＰＣに実装可能としたものであり、ノート型ＰＣには、ドッキング装置としてのＡＣアダプタと、通常のＡＣアダプタとが実装可能に構成されている。本実施の形態では、ＡＣアダプタは、ドッキングＩ／Ｆを介して、ノート型ＰＣとの接続やその電力状態を検出し、検出した電力状態に基づいて内部を省電力制御している。
【００２６】
図１は、ノート型ＰＣ１と、このノート型ＰＣ１に接続されるＡＣアダプタ（ドッキング装置）１０を示す概略斜視図である。
【００２７】
図１に例示するノート型ＰＣ１は、本体筐体２及び蓋体３を備えて構成してある。本体筐体２は、その内部に制御手段であるＣＰＵや記憶手段であるメモリ等の構成部品（ともに図示せず）を収容した箱体である。本体筐体２の上面には、複数のキートップ４ａを配設して構成した入力装置であるキーボード４が設けてある。本体筐体２の側面には、通常のＡＣアダプタ５０を外部接続するためのＤＣ入力端子６が設けられている。
【００２８】
また、本体筐体２の底面には、後述するドッキング装置側コネクタ１２に接続されるＰＣ側コネクタ（図２参照）、ドッキング装置１０に設けられたフック部材１３を係合させるための係合孔（不図示）が設けてある。
【００２９】
蓋体３は、液晶ディスプレイ（ＬＣＤ）や有機ＥＬディスプレイ等の表示装置８を収容した箱体であり、図１に示すように、本体筐体２の奥側縁部にヒンジ部９によってその基端部が回動可能に支持されている。この蓋体３は、本体筐体２に対して開いた場合に本体筐体２の手前側に向けて表示装置８を露出させるとともに、本体筐体２の上面を開放した状態となる。一方、ヒンジ部９を介して回動させれば、本体筐体２の上面及び表示装置８を同時に覆うカバーとして機能する。
【００３０】
ＡＣアダプタ１０であるドッキング装置は、その上面１１に上述したノート型ＰＣ１を載置し、ノート型ＰＣ１と接続してノート型ＰＣ１の機能を拡張する装置であり、「ドッキングステーション」、「ポートリプリケータ」、「機能拡張装置」とも称される。ＡＣアダプタ１０は、その上面１１に、ドッキング装置側コネクタ１２と、１対のフック部材１３が設けられている。このドッキング装置側コネクタ（ドッキングＩ／Ｆ）１２にＰＣ側コネクタ（ドッキングＩ／Ｆ）が電気的に接続されるとともに、ＡＣアダプタ１０に設けられたフック部材１３がノート型ＰＣ１の係合孔に係合することによりノート型ＰＣ１がＡＣアダプタ１０に対して機械的に結合した状態が保持される。
【００３１】
ＡＣアダプタ１０は、内部に、ＡＣ−ＤＣ変換回路等を搭載した基板や電源プラグ１４を収容しており、ユーザは電源プラグ１４を、不図示の機構で自動または手で取り出し可能に構成されている。
【００３２】
図２は、ノート型ＰＣ１に係わる電源システム６０の要部構成を示す概略ブロック図である。図２は、本発明の実施の形態を説明するために必要な部分のみを示しており、他の構成は省略している。この電源システム６０は、ノートＰＣ本体３０と、着脱可能に内蔵されたバッテリ・パック４０と、および図１に示したＡＣアダプタ１０とで構成される。
【００３３】
ノートＰＣ本体３０は、複数のピン７ａを備えたＰＣ側コネクタ７と、ＤＣ入力端子６とを備えており、ＰＣ側コネクタ７に接続可能なＡＣアダプタ１０と、ＤＣ入力端子６に接続可能な外付けの通常のＡＣアダプタ５０との２系統から商用電源の供給が可能となっている。ノートＰＣ本体３０は、ＡＣＰＩに準拠しており、システム状態（ＡＣＰＩステート）に応じた電源コントロールを行なう。システム状態は、６つのステートＳ０〜Ｓ５が規定されており、Ｓ０はフル稼働状態、Ｓ１は低消費電力状態（ただし、プロセッサ、チップセットともに電源オン）、Ｓ２は低消費電力状態（ただし、プロセッサとキャッシュは電源オフ、チップセットは電源オン）、Ｓ３はスタンバイ状態、Ｓ４は休止状態、Ｓ５はソフトウェアによる電源オフ（ノート型ＰＣ本体３０のパワーオフ状態）を示している。
【００３４】
ノートＰＣ本体３０は、電源管理部３１、ＤＣ−ＤＣ変換部３５、充電器３６等を備えている。電源管理部３１は、ノートＰＣ本体１００の電源管理を行うものであり、エンベデッド・コントローラ３２、パワーマネージメント回路３３、ＳＷ電源部３４等で構成されている。
【００３５】
エンベデッド・コントローラ３２は、電源以外にもノートＰＣ本体３０を構成する多くのハードウェア要素を制御する集積回路である。エンベデッド・コントローラ３２は、信号線Ｐ５を介してバッテリ・パック４０のＭＰＵ４１と通信し、バッテリ（蓄電池）４２の現在の電流値、電圧値、および残量についての情報を得る。また、エンベデッド・コントローラ３２は、充電器３６を制御して、バッテリ４２の充電を行う。
【００３６】
エンベデッド・コントローラ３２は、パワーマネージメント回路３３と共に、ＤＣ−ＤＣ変換部３５を制御して、ノートＰＣ本体３０のシステム状態Ｓ０〜Ｓ５に応じて電力供給の範囲を切り替える。また、エンベデッド・コントローラ３２は、不図示のＬＰＣバスに接続されており、そこからノート型ＰＣ１を構成する各種ハードウェア要素と相互に接続され、通信することが可能となっている。
【００３７】
ＡＣアダプタ１０およびバッテリ・パック４０から供給される電力は、ＤＣ−ＤＣ変換部３５で所望の電圧に変換されてノートＰＣ本体３０内の各部へ供給される。ＤＣ−ＤＣ変換部３５は、複数のＤＣ−ＤＣコンバータを備えており、エンベデッド・コントローラ３２およびパワーマネージメント回路３３は、ノートＰＣ本体３０のシステム状態Ｓ０〜Ｓ５に応じて各ＤＣ−ＤＣコンバータのＯＮ／ＯＦＦを制御して、電力供給の範囲を切り替える。
【００３８】
パワーマネージメント回路３３は、ノートＰＣ本体３０がパワーオフの状態（Ｓ５）でもパワー・オン操作に応じて、システムの電源を立ち上げる必要があるため、常に、ＡＣアダプタ１０またはバッテリ・パック４０からＳＷ電源部３４を介して電力が供給される。パワーマネージメント回路３３は、ＤＣ−ＤＣ変換部３５の各ＤＣ−ＤＣコンバータのＯＮ／ＯＦＦを電源要求信号により制御する。ここで、エンベドッド・コントローラ３２等に３．３Ｖを供給する電源をＭ１電源、５Ｖの電圧を供給する電源をＭ２電源、・・・と称する。このＭ１電源は、通常、最後にＯＦＦされる。
【００３９】
同図では、Ｍ１電源をＯＮ／ＯＦＦさせる電源要求信号が送出される信号線Ｐ４のみを図示しており、他の電源をＯＮ／ＯＦＦさせる信号線の図示を省略している。この信号線Ｐ４は、ドッキングＩ／Ｆを介してＡＣアダプタ１０の検出・制御部２６と接続される。パワーマネージメント回路３３は、ＤＣ−ＤＣ変換部３５から出力されるＭ１電源をＯＮさせる場合は、電源要求信号（Ｍ１電源用）をアサートとし、Ｍ１電源をＯＦＦさせる場合は、電源要求信号（Ｍ１電源用）をネゲートとする。
【００４０】
ＳＷ電源部３４は、ＡＣアダプタ１０から供給されるＤＣ電圧ＶＩＮＴまたはバッテリ・パック４０から供給されるＤＣ電圧を所定の電圧であるＳＷ電源に変換して、パワーマネージメント回路３３に供給する。すなわち、ＳＷ電源は、ＡＣアダプタ１０から電力が供給されていない場合でも、バッテリ４２の残量がゼロの場合およびバッテリ・パック４０が装着されていない場合以外はＯＮとなっている。
【００４１】
また、電源管理部３１は、信号線Ｐ１を介して、ＤＣ入力端子６およびＡＣアダプタ１０の検出・制御部２６と接続される。電源管理部３１は、通常のアダプタ５０または検出・制御部２６から信号線Ｐ１を介して出力される識別信号ＡＣＤＣ−ＩＤを検出して、ＡＣアダプタの種類を判別し、ＡＣアダプタの種類に応じた電源制御を実行する。
【００４２】
バッテリ・パック４０は、ノートＰＣ本体３０に装着され、かつＳＢＳ規格に準拠している。バッテリ・パック４０には、バッテリ（蓄電池）４１の他に、ＭＰＵ４２、および詳細には図示しないその他の多くの電子回路を含んで構成される。これらの電子回路は、ＭＰＵ４１による制御の下で、バッテリ・パック４０からノートＰＣ本体３０へ供給される電源系統の制御および電圧の調整、バッテリ４１から出力される電圧および電流の計測などを行う。バッテリ・パック４０の内部でバッテリ４１から出力された電力は、ノートＰＣ本体３００に出力される。
【００４３】
ＡＣアダプタ１０は、ドッキングＩ／Ｆを介して、ノートＰＣ本体３０の電力状態を把握し、電力供給が不要なときには出力を低下・遮断して、待機電力を低減する機能を有する。ＡＣアダプタ１０は、複数のピン１２ａを備えたドッキング装置側コネクタ１２と、商用電源のアウトレットに差し込む電源プラグ１４と、電源プラグ１４を介して入力される商用電源（ＡＣ電圧）をＤＣ電圧に変換するＡＣ−ＤＣ変換部２０と、補助電源２４と、検出・制御部２６と、スイッチ部２５とを備えている。
【００４４】
ＡＣ−ＤＣ変換部２０は、電源プラグ１４に接続された一次側回路２１と、一次側回路２１にその一次回路が接続された絶縁トランス２２と、絶縁トランス２２の二次回路に接続された二次側回路２３とを備えている。ＡＣ−ＤＣ変換部２０、補助電源２４，およびスイッチ部２５は、公知の回路であるので、ここではその詳細な説明を省略するが、例えば、本願出願人の特開２００８−１２５２７０号のＡＣアダプタの構成を援用（採用）することができる。
【００４５】
一次側回路２１は、交流電圧を全波整流する整流ブリッジ・ダイオードと、全波整流された電圧を平滑化するキャパシタ等を備えている。
【００４６】
二次側回路２２は、二次側回路２２は、ノートＰＣ本体３０に出力される出力電圧を所定値の範囲に調整するためのツェナー・ダイオード等を備えており、ＤＣ電圧ＶＩＮＴを、信号線Ｐ２を通じて、ドッキングＩ／Ｆを介してノートＰＣ本体３０に出力する。
【００４７】
ＤＣ電圧ＶＩＮＴの一部は、キャパシタ等で構成される補助電源２４に蓄電され、この補助電源２４に蓄積された電力は検出・制御部２６に出力される。スイッチ部２５は、検出・制御部２６の制御に従って、一次側回路２１の動作をＯＮ／ＯＦＦさせる。一次側回路２１の動作をＯＮ／ＯＦＦさせる方法としては、電源プラグ１４からの入力と一次側回路２１との接続をＯＮ／ＯＦＦさせるスイッチを設ける等の各種公知の方法を使用することができる。
【００４８】
検出・制御部２６は、接続検出手段、電力状態検出手段、および制御手段として機能する。検出・制御部２６は、ＡＣアダプタ１０がＯＦＦの状態でも、ＡＣアダプタ１０をＯＮさせる必要があるため、常に、補助電源２４から電力が供給されている。検出・制御部２６に接続された信号線Ｐ３は、ドッキングＩ／Ｆ（２つのピン）を介して、ノートＰＣ本体３０を経由してＧＮＤに接続される。検出・制御部２６は、例えば、信号線Ｐ３に接続検出信号「Ｈ」を送出し、この接続検出信号「Ｈ」が「Ｌ」に変化した場合に、ノートＰＣ本体３０と接続されたことを検出することができる。また、信号線Ｐ３は、ノートＰＣ本体３０のパワーマネージメント回路３３にも接続されており、パワーマネージメント回路３３は、この信号線Ｐ３を使用して、ＡＣアダプタ３０が接続されたことを検出可能となっている。
【００４９】
検出・制御部２６は、信号線Ｐ４を介して、ノートＰＣ本体３０から入力される電源要求信号を検出して、ノートＰＣ本体３０の電力状態（Ｍ１電源のＯＮ／ＯＦＦ）を検出する。なお、ここでは、電源要求信号を検出して電力状態を検出することにしているが、Ｍ１電源の信号線をドッキングＩ／Ｆを介して検出・制御部２６に入力するように構成して、Ｍ１電源のＯＮ／ＯＦＦを直接検出することにしてもよい。
【００５０】
検出・制御部２６は、ノートＰＣ本体３０の電力状態（Ｍ１電源のＯＮ／ＯＦＦ）の検出結果に基づいて、スイッチ部２５を介して、一次側回路２１のＯＮ／ＯＦＦを制御する。一次側回路２１がＯＮとなると、トラッキングＩ／Ｆを介して、ＤＣ電圧ＶＩＮＴがＯＮとなりノートＰＣ本体３０に出力される。一次側回路２１がＯＦＦとなると、トラッキングＩ／Ｆを介して、ＤＣ電圧ＶＩＮＴがノートＰＣ本体３０に出力されない、一次側回路２１がＯＮでＤＣ電圧ＶＩＮＴがＯＮとなる場合を、ＡＣアダプタ１０のＯＮといい、一次側回路２１がＯＦＦでＤＣ電圧ＶＩＮＴが出力されない場合を、ＡＣアダプタ１０のＯＦＦという。検出・制御部２６は、Ｍ１電源のＯＦＦを検出した場合は、一次側回路２１をＯＦＦとして、ＡＣアダプタ１０をＯＦＦし、他方、Ｍ１電源のＯＮを検出した場合は、一次側回路２１をＯＮとしてＡＣアダプタ１０をＯＮとする。
【００５１】
つぎに、上記図２のように構成される電源システム６０の動作例１〜６を図３〜図８を参照して説明する。図３〜図８は、電源システム６０の動作例１〜６をそれぞれ説明するための動作フローである。
【００５２】
（１）動作例１（システム電源がＯＦＦされて、Ｓ５に移行する場合）
図３において、ノートＰＣ本体３０に、ＡＣアダプタ１０が接続され、かつ、バッテリ・パック４０が接続されている（Ｕ１１）ものとする。ノートＰＣ本体３０は、ＡＣアダプタ１０がＯＮ（Ｓ１１）及びシステムがＳ０の状態（Ｔ１１）で、システム電源がＯＦＦされると（Ｔ１２）、Ｍ１電源以外の電源をＯＦＦして、Ｓ５に移行する（Ｔ１３）。エンベデッド・コントローラ３２は、ＡＣアダプタ１０の接続を識別信号ＡＣ−ＤＣＩＤにより検出した後（Ｓ１４）、パワーマネージメント回路３３に、Ｍ１電源のＯＦＦを指示する。パワーマネージメント回路３３は、電源要求信号（Ｍ１電源用）をナゲートとして、ＤＣ−ＤＣコンバータ３３からのＭ１電源の供給をＯＦＦさせる（Ｔ１５）。
【００５３】
他方、ＡＣアダプタ１０では、検出・制御部２６は、Ｍ１電源のＯＦＦを検出すると（Ｔ１２）、一次側回路２１をＯＦＦとして、ＡＣアダプタ１０をＯＦＦとする（Ｓ１３）。これにより、ノート型ＰＣ１のパワーオフ時のＡＣアダプタ１０の待機電力を低減することが可能となる。
【００５４】
（２）動作例２（システム電源がオンされて、Ｓ０に移行する場合）
図４において、ノートＰＣ本体３０に、ＡＣアダプタ１０が接続され、バッテリ・パック４０が接続されている（Ｕ２１）ものとする。ノートＰＣ本体３０では、ＡＣアダプタ１０がＯＦＦ（Ｔ２１）及びシステムがＳ５の状態（Ｔ２１）で、システム電源がＯＮされると（Ｔ２２）、システムはＳ０に移行し（Ｔ２３）、パワーマネージメント回路３３は、ＤＣ−ＤＣ変換部３５からの全Ｍ電源の供給をＯＮさせる（Ｔ２４）。なお、この状態では、ＤＣ−ＤＣ変換部３５には、ＡＣアダプタ１０からＤＣ電圧ＤＣＩＮＴが入力されていないので、ＤＣ電圧ＤＣＩＮＴが入力されるまでは、一次的に、バッテリ・パック４０からの電力に基づいてＭ電源を供給する。
【００５５】
他方、ＡＣアダプタ１０では、検出・制御部２６は、Ｍ１電源のＯＮを検出すると（Ｔ２４）、一次側回路２１をＯＮとして、ＡＣアダプタ１０をＯＮさせる（Ｓ２３）。これにより、ＡＣアダプタ１０からＤＣ電圧ＤＣＩＮＴが出力される。
【００５６】
（３）動作例３（バッテリ４２を充電中にシステム電源がＯＦＦされた場合）
図５において、ノートＰＣ本体３０には、ＡＣアダプタ１０が接続され、バッテリ・パック４０が装着されているものとする。ノートＰＣ本体３０では、ＡＣアダプタ１０がＯＮ（Ｓ３１）、システムがＳ０（Ｔ３１）、バッテリ４２を充電中（Ｕ３１）の状態で、システム電源がＯＦＦされると（Ｔ３２）、エンベデッド・コントローラ３２は、Ｍ１電源以外の電源をＯＦＦして、Ｓ５に移行するが（Ｔ３３）、バッテリ４２の残量が閾値Ｎ１以上となるまで充電を継続する（Ｔ３４）。エンベデッド・コントローラ３２は、充電を完了すると、ＡＣアダプタ１０の接続を検出し（Ｔ３５）、パワーマネージメント回路３３に、Ｍ１電源をＯＦＦするように指示する。パワーマネージメント回路３３は、電源要求信号をナゲートとして、ＤＣ−ＤＣ変換部３５からのＭ１電源の供給をＯＦＦさせる（Ｔ３６）。
【００５７】
他方、ＡＣアダプタ１０では、検出・制御部２６は、Ｍ１電源のＯＦＦを検出すると（Ｓ３２）、一次側回路２１をＯＦＦとして、ＡＣアダプタ１０をＯＦＦとする（Ｓ３３）。これにより、バッテリ４２を充電中にシステム電源がＯＦＦされた場合でも、バッテリ４２の充電動作を完了させた後に、ＡＣアダプタ１０の待機電力を低減することが可能となる。
【００５８】
（４）動作例４（Ｓ５の状態で、バッテリ・パックが交換された場合）
図６において、ノートＰＣ本体３０に、ＡＣアダプタ１０が接続され、バッテリ・パック４０が接続されている（Ｕ４１）ものとする。ノートＰＣ本体３０では、ＡＣアダプタ１０がＯＦＦ（Ｓ４１）、システムがＳ５（Ｔ４１）の状態で、バッテリ・パック４０が装脱された後、（別のまたは同じ）バッテリ・パック４０が接続されると（Ｕ４２）、バッテリ・パック４０からＳＷ電源部３４を介してパワーマネージメント回路３３にＳＷ電源が供給され、パワーマネージメント回路３３が起動する。パワーマネージメント回路３３は、バッテリ・パック４０の交換（接続）を検出すると（Ｔ４２）、電源要求信号（Ｍ１電源用）をアサートとして、ＤＣ−ＤＣ変換部３５からのＭ１電源の供給をＯＮさせる（Ｔ４３）。これにより、エンベデッド・コントローラ３２が起動する。
【００５９】
他方、ＡＣアダプタ１０では、検出・制御部２６は、Ｍ１電源のＯＮを検出すると（Ｔ４２）、一次側回路２１をＯＮとして、ＡＣアダプタ１０をＯＮさせる（Ｔ４３）。これにより、ＡＣアダプタ１０からＤＣ電圧ＤＣＩＮＴが出力される。
【００６０】
エンベデッド・コントローラ３２は、バッテリ４２の残量が閾値Ｎ２以上であるか否かを判断し（Ｔ４４）、バッテリ４２の残量が閾値Ｎ２以上でない場合は（Ｔ４４の「Ｎｏ」）、バッテリ４２の残量が閾値Ｎ１以上となるまで充電を行う（Ｔ４５、Ｕ４３）。エンベデッド・コントローラ３２は、バッテリ４２の残量が閾値Ｎ２以上の場合（Ｔ４４の「Ｙｅｓ」または充電が完了した場合は、パワーマネージメント回路３３に、Ｍ１電源のＯＦＦを指示する。パワーマネージメント回路３３は、電源要求信号（Ｍ１電源用）をナゲートとして、ＤＣ−ＤＣ変換部３５からのＭ１電源の供給をＯＦＦさせる（Ｔ４６）。
【００６１】
他方、ＡＣアダプタ１０では、検出・制御部２６は、Ｍ１電源のＯＦＦを検出すると（Ｓ４４）、一次側回路２１をＯＦＦとして、ＡＣアダプタ１０をＯＦＦとする（Ｓ４５）。これにより、パワーオフの状態でバッテリ・パック４０が交換された場合でも、交換したバッテリ４２の充電が完了した後に、ＡＣアダプタ１０の待機電力を低減することが可能となる。
【００６２】
（５）動作例５（Ｓ５の状態で、ＡＣアダプタ１０が装着された場合）
図７において、ノートＰＣ本体３０に、バッテリ・パック４０が装着されており（Ｕ５１）、ＡＣアダプタ１０は接続されていないものとする。ノートＰＣ本体３０では、システムがＳ５の状態にあるときに（Ｔ５１）、ＡＣアダプタ１０が接続されると（Ｓ５１）、パワーマネージメント回路３３は、ＡＣアダプタ１０の接続を検出し（Ｔ５２）、電源要求信号（Ｍ１電源用）をアサートとして、ＤＣ−ＤＣ変換部３５からのＭ１電源の供給をＯＮさせる（Ｔ５３）。これにより、エンベデッド・コントローラ３２が起動する。
【００６３】
他方、ＡＣアダプタ１０では、検出・制御部２６は、Ｍ１電源のＯＮを検出すると（Ｔ５２）、一次側回路２１をＯＮとして、ＡＣアダプタ１０をＯＮさせる（Ｓ５３）。これにより、ＡＣアダプタ１０からＤＣ電圧ＤＣＩＮＴが出力される。なお、ここでは、ノートＰＣ本体３０のパワーマネージメント回路３３が、ＡＣアダプタ１０の接続を検出して、電源要求信号（Ｍ１電源用）により、ＤＣ−ＤＣ変換部３５からのＭ１電源の供給をＯＮさせる構成としたが、本発明はこれに限られず、ＡＣアダプタ１０の検出・制御部２６が、ノートＰＣ本体３０との接続を接続検出信号により検出した場合に、信号線Ｐ４等を介して、ＤＣ−ＤＣ変換部３５からのＭ１電源の供給をＯＮさせて、エンベデッド・コントローラ３２を起動させる構成としてもよい。このように、ＡＣアダプタ１０がノートＰＣ本体３０との接続を検出した場合に、ＡＣアダプタ１０側からＤＣ−ＤＣ変換部３５からのＭ１電源の供給をＯＮさせる構成としてもよい。これにより、例えば、ノートＰＣ本体３０のバッテリ４２の残量が少なくなっている状態でも、ＡＣアダプタ１０を接続することで、まず、メイン電源（Ｍ１電源）をＯＮとして、バッテリ４２の充電を開始することが可能となる。
【００６４】
エンベデッド・コントローラ３２は、バッテリ４２の残量が閾値Ｎ２以上であるか否かを判断し（Ｔ５４）、バッテリ４２の残量が閾値Ｎ２以上でない場合は（Ｔ５４「Ｎｏ」）、バッテリ４２の残量が閾値Ｎ１以上となるまで充電を行う（Ｔ５５、Ｕ５２）。エンベデッド・コントローラ３２は、バッテリ４２の残量が閾値Ｎ２以上の場合（Ｔ５４「Ｙｅｓ」）または充電が完了した場合は、パワーマネージメント回路３３に、Ｍ１電源のＯＦＦを指示する。パワーマネージメント回路３３は、電源要求信号（Ｍ１電源用）をナゲートとして、ＤＣ−ＤＣ変換部３５からのＭ１電源の供給をＯＦＦさせる（Ｔ５６）。
【００６５】
他方、ＡＣアダプタ１０では、検出・制御部２６は、Ｍ１電源のＯＦＦを検出すると（Ｓ５４）、一次側回路２１をＯＦＦとして、ＡＣアダプタ１０をＯＦＦとする（Ｓ５５）。これにより、パワーオフの状態で新たにＡＣアダプタ１０が接続された場合でも、バッテリ・パック４０の充電を行った後に、ＡＣアダプタ１０の待機電力を低減することが可能となる。
【００６６】
（６）動作例６（Ｓ５の状態で、バッテリ容量が減少した場合）
図８において、ノートＰＣ本体３０に、ＡＣアダプタ１０およびバッテリ・パック４０が接続されているものとする（Ｕ６１）。ノートＰＣ本体３０では、ＡＣアダプタ１０がＯＦＦ（Ｓ６１）およびシステムがＳ５（Ｔ６１）の状態にある場合に、パワーマネージメント回路３３は、タイマーイベント動作で周期的にＤＣ−ＤＣコンバータ３３のＭ１電源の供給をＯＮさせて、エンベデッド・コントローラ３２をｗａｋｅ  ｕｐさせる（Ｔ６２）。なお、ここでは、パワーマネージメント回路３３が、エンベデッド・コントローラ３２をｗａｋｅ  ｕｐさせる構成としたが、ＡＣアダプタ１０の検出・制御部２６がＷａｋｅ  ｕｐさせることにしてもよい。パワーマネージメント回路３３および検出・制御部２６は、タイマイベント発生手段として機能する。
【００６７】
他方、ＡＣアダプタ１０では、検出・制御部２６は、Ｍ１電源のＯＮを検出すると（Ｓ６２）、一次側回路２１をＯＮとして、ＡＣアダプタ１０をＯＮさせる（Ｓ６３）。これにより、ＡＣアダプタ１０からＤＣ電圧ＤＣＩＮＴが出力される。
【００６８】
エンベデッド・コントローラ３２は、バッテリ４２の残量が閾値Ｎ２以上であるか否かを判断し（Ｔ６３）、バッテリ４２の残量が閾値Ｎ２以上でない場合は（Ｔ６３「Ｎｏ」）、バッテリ４２の残量が閾値Ｎ１以上となるまで充電を行う（Ｔ６４、Ｕ６２）。エンベデッド・コントローラ３２は、バッテリ４２の残量が閾値Ｎ２以上の場合（Ｔ６３の「Ｙｅｓ」）または充電が完了した場合は、パワーマネージメント回路３３に、Ｍ１電源のＯＦＦを指示する。パワーマネージメント回路３３は、電源要求信号（Ｍ１電源用）をナゲートとして、ＤＣ−ＤＣ変換部３５からのＭ１電源の供給をＯＦＦさせる（Ｔ６５）。
【００６９】
他方、ＡＣアダプタ１０では、検出・制御部２６は、Ｍ１電源のＯＦＦを検出すると（Ｓ６３）、一次側回路２１をＯＦＦとして、ＡＣアダプタ１０をＯＦＦとする（Ｓ６４）。これにより、パワーオフの状態でバッテリ４２の容量が低下した後でも、バッテリ４２の充電を行った後に、ＡＣアダプタ１０の待機電力を低減することが可能となる。
【００７０】
以上説明したように、本実施の形態のＡＣアダプタ１０によれば、ノート型ＰＣ１のドッキングＩ／Ｆに、着脱可能に接続され、電源プラグ１４を介して入力されるＡＣ電圧をＤＣ電圧に変換して、ドッキングＩ／Ｆを介して、ノート型ＰＣ１に出力するＡＣ−ＤＣ変換部２０と、ドッキングＩ／Ｆを介して、ノート型ＰＣ１との接続やノート型ＰＣ１の電力状態を検出し、検出した電力状態に応じてＡＣ−ＤＣ変換部２０のＯＮ／ＯＦＦを制御する検出・制御部２６とを備えているので、ノート型ＰＣで使用されるＡＣアダプタの待機電力を、簡単かつ低コストな構成で削減することが可能となる。付言すると、ドッキングＩ／Ｆを利用してノート型ＰＣ１との接続やその電力状態を検出することができ、ノート型ＰＣ１の接続やその電力状態を検出するための他の信号線の追加が不要となり、低コストかつ簡単な構成とすることができる。
【００７１】
また、検出・制御部２６は、ノート型ＰＣ１のＤＣ−ＤＣ変換部３５から出力される所定の電源（Ｍ１電源）をＯＮ／ＯＦＦさせる電源要求信号（Ｍ１電源用）またはＤＣ−ＤＣ変換部３５から出力される所定の電源をドッキングＩ／Ｆを介してモニタリングすることで、ノート型ＰＣ１の電力状態を検出することとしたので、簡単かつ低コストな方法でノート型ＰＣ１の電力状態を検出することが可能となる。
【００７２】
また、検出・制御部２６は、所定の電源のＯＦＦを検出した場合に、ＡＣ−ＤＣ変換部２０をＯＦＦとする一方、所定の電源のＯＮを検出した場合に、ＡＣ−ＤＣ部２０をＯＮさせることとしたので、ノート型ＰＣ１の所定の電源のＯＮ／ＯＦＦに応じてＡＣアダプタ１０の待機電力削減制御を行うことが可能となる。
【００７３】
また、ＡＣアダプタ１０を、ノート型ＰＣ１に外付けされるドッキング装置としたので、ＡＣアダプタ１０をノート型ＰＣ１に装着して持ち運ぶことができ、その携帯性を向上させることが可能となる。
【００７４】
なお、上記実施の形態では、本発明に係る電源システムの一例として、ノート型ＰＣについて説明したが、本発明は、これに限られるものではなく、ＡＣアダプタを使用する全ての情報処理装置に適用可能であり、例えば、ＰＤＡ、携帯端末、デジタルカメラ等の情報処理装置にも適用可能である。
【産業上の利用可能性】
【００７５】
以上のように、本発明にかかるＡＣアダプタおよび電源システムは、待機電力を低減させる場合に有用である。
【符号の説明】
【００７６】
１  ノート型ＰＣ
２  本体筐体
３  蓋体
４  キーボード
６  ＤＣ入力端子
８  ＰＣ側コネクタ（ドッキングＩ／Ｆ）
８  表示装置
９  ヒンジ部
１０  ＡＣアダプタ（ドッキング装置）
１１  上面
１２  ドッキング装置側コネクタ（ドッキングＩ／Ｆ）
１３  フック
１４  電源プラグ
２０  ＡＣ−ＤＣ変換部
２１  一次側回路
２２  絶縁トランス
２３  二次側回路
２４  補助電源
２５  スイッチ部
２６  検出・制御部
３０  ノートＰＣ本体
３１  電源管理部
３２  エンベデッド・コントローラ
３３  パワーマネージメント回路
３４  ＳＷ電源部
３５  ＤＣ−ＤＣ変換部
３６  充電器
４０  バッテリ・パック
４１  ＭＰＵ
４２  バッテリ
５０  通常のＡＣアダプタ
６０  電源システム
【図１】
0005248575.tif 000002
【図２】
0005248575.tif 000003
【図３】
0005248575.tif 000004
【図４】
0005248575.tif 000005
【図５】
0005248575.tif 000006
【図６】
0005248575.tif 000007
【図７】
0005248575.tif 000008
【図８】
0005248575.tif 000009